【手続補正書】
【提出日】平成20年1月25日(2008.1.25)
【手続補正１】
【補正対象書類名】特許請求の範囲
【補正対象項目名】全文
【補正方法】変更
【補正の内容】
【特許請求の範囲】
【請求項１】
記録及び／又は再生装置で利用される追記型ディスクであって、
アップデートされる所定の種類の情報が記録される複数のアップデート領域と、
前記複数のアップデート領域のうち、最終的にアップデートされた情報が記録された最終アップデート領域を前記記録及び／又は再生装置に示すメインアクセス情報が記録される少なくとも１つのメインアクセス情報領域とを有し、
前記少なくとも１つのメインアクセス情報領域は、アップデート領域の位置情報を含み、前記最終的にアップデートされた情報が記録されるアップデート領域が変更された場合にアップデートされる、
ことを特徴とするディスク。
【請求項２】
前記メインアクセス情報領域は、複数の記録ブロックのための空間を備え、前記メインアクセス情報は、前記メインアクセス情報領域の空間に潜在的に記録された記録ブロックのうち、前記メインアクセス情報が記録された記録ブロックの数により、前記最終アップデート領域を示す、
ことを特徴とする請求項１記載のディスク。
【請求項３】
前記最終アップデート領域は複数のサブ領域に分割され、前記サブのアクセス情報は、最終的にアップデートされた情報が記録されたサブ領域のうちの１つが変更された場合にのみアップデートされる、
ことを特徴とする請求項１記載のディスク。
【請求項４】
前記サブアクセス情報領域は、複数の記録ブロックのための空間を備え、前記サブアクセス情報は、前記サブアクセス情報領域の空間に潜在的に含まれる記録ブロックのうち、前記サブアクセス情報が記録される記録ブロックの数によって最終的にアップデートされた情報が記録される１つのサブ領域を示す、
ことを特徴とする請求項３記載のディスク。
【請求項５】
前記サブアクセス情報領域は、前記追記型ディスクのデータ領域に割り当てられたそれぞれのアップデート領域に含まれる、
ことを特徴とする請求項１記載のディスク。
【請求項６】
記録及び／又は再生装置で利用される追記型ディスクであって、
アップデートされる所定の種類の情報が記録される複数のアップデート領域と、
前記複数のアップデート領域のうち、最終的にアップデートされた情報が記録された最終アップデート領域を前記記録及び／又は再生装置に示すアクセス情報が記録される少なくとも１つのアクセス情報領域とを備え、
前記アクセス情報は、前記複数のアップデート領域の位置情報、前記複数のアップデート領域のうち、最終的にアップデートされた情報が記録された最終アップデート領域を前記記録及び／又は再生装置に示す第１フラグ情報を含み、前記アクセス情報は、前記最終的にアップデートされた情報が記録された前記最終アップデート領域が変更されたときにアップデートされる、
ことを特徴とするディスク。
【請求項７】
前記最終アップデート領域は複数のサブ領域に分割され、第２フラグ情報は、最終的にアップデートされた情報が記録された複数のサブ領域のうち一つを示す、
ことを特徴とする請求項６に記載のディスク。
【請求項８】
追記型ディスクと関連してデータを伝送するデータ記録及び／又は再生装置であって、
前記追記型ディスクに情報を記録し、前記追記型ディスクから情報を読み出す記録／読み出し部と、
前記追記型ディスクに割り当てられた複数のアップデート領域のうち一つに最終的にアップデートされた所定の種類の情報を記録し、前記最終的にアップデートされた情報が記録された最終アップデート領域を示すためにメインアクセス情報を前記ディスクに割り当てられた少なくとも１つのメインアクセス情報領域に記録するために前記記録／読み出し部を制御する制御部とを有し、
前記制御部は、前記最終的にアップデートされた情報が記録された１つのアップデート領域が変更されたときにメインアクセス情報を記録するために前記記録／読み出し部を制御する、
ことを特徴とする装置。
【請求項９】
前記制御部は、前記メインアクセス情報がメインアクセス情報領域に記録される記録ブロックの数を利用して、前記最終アップデート領域を示すため、前記最後にアップデートされた情報が変更されるたびに、前記メインアクセス情報領域に割り当てられた複数の記録ブロックのうち、１つの記録ブロックに前記メインアクセス情報を記録するために前記記録／読み出し部を制御する、
ことを特徴とする請求項８記載の装置。
【請求項１０】
前記最終アップデート領域は複数のサブ領域に分割され、前記制御部は、前記最終的にアップデートされた情報が記録された第１サブ領域が変更された場合にだけ、サブアクセス情報を記録するために、前記記録／読み出し部を制御する、
ことを特徴とする請求項８記載の装置。
【請求項１１】
前記制御部は、前記サブアクセス情報が前記サブアクセス情報領域に記録された記録ブロックの数を利用して、最終的にアップデートされた情報が記録されたサブ領域を示すために、前記最後にアップデートされた情報が変更されるたびに、前記サブアクセス情報領域に割り当てられた複数の記録ブロックのうち、１つの記録ブロックに前記サブアクセス情報を書き込むために前記記録／読み出し部を制御する、
ことを特徴とする請求項１０記載の装置。
【請求項１２】
追記型ディスクと関連してデータを伝送するデータ記録及び／又は再生装置であって、
前記追記型ディスクに情報を記録し、前記追記型ディスクから情報を読み出す記録／読み出し部と、
前記ディスクに割り当てられた複数のアップデート領域のうちの一つに最終的にアップデートされた所定の種類の情報を記録し、前記最終的にアップデートされた情報が記録された最終アップデート領域を示すアクセス情報を前記ディスクに割り当てられた少なくとも１つのアクセス情報領域に記録するために前記記録／読み出し部を制御する制御部とを備え、
前記アクセス情報は、前記複数のアップデート領域の位置情報、前記最終アップデート領域を示す第１フラグ情報を含み、
前記制御部は、前記最終的にアップデートされた情報が記録される前記最終アップデート領域が変更されたときにアクセス情報を書き込むために前記記録／読み出し部を制御する、
ことを特徴とする装置。
【請求項１３】
前記最終アップデート領域が複数のサブ領域に分割された場合、第２フラグ情報は、最終的にアップデートされた情報が記録された１つのサブ領域を示す、
ことを特徴とする請求項１２記載の装置。
【請求項１４】
追記型ディスクと使用するデータ再生装置であって、
前記追記型ディスクに記録されたデータを読み出す読み出し部と、
前記読み出し部を制御し、前記追記型ディスクに割り当てられた少なくとも１つのメインアクセス情報領域から前記追記型ディスクに含まれる複数のアップデート領域のうち、最終的にアップデートされた所定の種類の情報が記録された最終アップデート領域に関する情報を得る制御部とを備え、
前記最終アップデート領域の情報は、アップデート領域の位置情報を含み、前記最終的にアップデートされた情報が記録されるアップデート領域が変更された場合にアップデートされる、
ことを特徴とする装置。
【請求項１５】
前記メインアクセス情報領域は、所定の数の記録ブロックが記録可能な空間を備え、前記制御部は、メインアクセス情報が記録され、前記空間に記録される記録ブロックの数をカウントすることにより、前記最終アップデート領域の位置情報を得る、
ことを特徴とする請求項１４記載の装置。
【請求項１６】
前記制御部は、前記メインアクセス情報領域に記録されたメインアクセス情報から前記最終アップデート領域の位置情報を得る、
ことを特徴とする請求項１４記載の装置。
【請求項１７】
追記型ディスクを再生するデータ再生装置であって、
前記追記型ディスクに記録されたデータを読み出す読み出し部と、
前記追記型ディスクに割り当てられた少なくとも１つのアクセス情報領域から最終的にアップデートされたアクセス情報を取得するために前記読み出し部を制御し、前記取得されたアクセス情報から前記ディスクに含まれる複数のアップデート領域のうち、最終的にアップデートされた所定の種類の情報が記録された最終アップデート領域に関する情報を取得し、前記最終アップデート領域に関する取得された情報に基づき、前記最終的にアップデートされた所定の種類の情報を取得する制御部とを備え、
前記取得されたアクセス情報は、前記複数のアップデート領域の位置情報、前記最終アップデート領域を示す第１フラグ情報を含み、前記アクセス情報は、最終的にアップデートされた情報が記録される最終アップデート領域が変更されたときにアップデートされる、
ことを特徴とする装置。
【請求項１８】
前記最終アップデート領域が複数のサブ領域に分割され、第２フラグ情報は、所定の種類の最終的にアップデートされた情報が記録されたサブ領域を示す、
ことを特徴とする請求項１７記載の装置。
【請求項１９】
所定の順序によって使われる複数のアップデート領域、及び少なくとも１つのアクセス情報領域を具備した追記型ディスクへのデータ記録方法であって、
前記複数のアップデート領域のうち１つの領域に最終的にアップデートされた所定の種類の情報を記録する段階と、
前記複数のアップデート領域の位置情報を含むアクセス情報を前記アクセス情報領域に記録ブロック単位で記録することにより、前記アクセス情報が記録された記録ブロックの数を利用し、前記複数のアップデート領域のうち、最終的にアップデートされた所定の種類の情報が記録された最終アップデート領域を示す段階とを含み、
前記アクセス情報は、最終的にアップデートされた情報が記録されたアップデート情報が変更された場合にアップデートされる、
ことを特徴とする方法。
【請求項２０】
前記最終アップデート領域を示す段階は、
前記複数のアップデート領域のうち１つのアップデート領域に前記最後にアップデートされた所定の種類の情報が最初に記録されるときにのみ、前記アクセス情報を記録する、
ことを特徴とする請求項１９記載の方法。
【請求項２１】
前記最終的にアップデートされる所定の種類の情報は、前記複数のアップデート領域の位置情報を含む臨時ディスク管理情報であり、前記臨時ディスク管理情報は、前記アクセス情報として前記アクセス情報領域に記録される、
ことを特徴とする請求項１９記載の方法。
【請求項２２】
所定の順序によって使われる複数のアップデート領域、及び少なくとも１つのアクセス情報領域を具備した追記型ディスクにデータを記録し、前記追記型ディスクからデータを再生する装置であって、
前記ディスクに情報を記録し、前記ディスクからデータを読み出す記録／読み出し部と、
前記複数のアップデート領域のうちの１つの領域にアップデートされた所定の種類の情報を記録し、前記複数のアップデート領域の位置情報を含むアクセス情報を前記アクセス情報領域に記録ブロック単位で記録するために前記記録／読み出し部を制御し、前記アクセス情報が記録された多数の記録ブロックを利用し、前記複数のアップデート領域のうち、最終的にアップデートされた所定の種類の情報が記録された最終アップデート領域を示す制御部とを備え、
前記制御部は、最終的にアップデートされた情報が記録された１つのアップデート領域が変更されたときにアクセス情報を記録するために前記記録／読み出し部を制御する、
ことを特徴とする装置。
【請求項２３】
前記制御部は、前記複数のアップデート領域のうち１つのアップデート領域に前記アップデートされた所定の種類の情報を最初に記録するときにのみ、前記アクセス情報を記録するために前記記録／読み出し部を制御する、
ことを特徴とする請求項２２記載の装置。
【請求項２４】
前記アップデートされる所定の種類の情報は、前記複数のアップデート領域の位置情報を含む臨時ディスク管理情報であり、前記臨時ディスク管理情報は、前記アクセス情報として前記アクセス情報領域に記録される、
ことを特徴とする請求項２２記載の装置。
【請求項２５】
所定の順序によって使われた複数のアップデート領域、及び少なくとも１つのアクセス情報領域を具備した追記型ディスクの再生方法であって、
前記アクセス情報領域にアクセスして、アクセス情報がアクセス情報領域に記録された記録ブロックの数に基づき、前記複数のアップデート領域のうち、最終的にアップデートされた所定の種類の情報が記録された最終アップデート領域を決定する段階と、
アクセス情報が前記アクセス情報領域に最後に記録された記録ブロックから最終的にアップデートされたアクセス情報を得る段階と、
前記最終的にアップデートされたアクセス情報から前記最終アップデート領域の位置情報を得る段階と、
前記最終アップデート領域に記録された、前記最終的にアップデートされた所定の種類の情報を得る段階とを含み、
前記アクセス情報は、最終的にアップデートされた情報が記録されたアップデート領域が変更された場合にアップデートされる、
ことを特徴とする方法。
【請求項２６】
所定の順序によって使われた複数のアップデート領域、及び少なくとも１つのアクセス情報領域を具備した追記型ディスクの再生装置であって、
前記追記型ディスクに記録されたデータを読み出す読み出し部と、
前記アクセス情報領域にアクセスしてデータを読み出すように前記読み出し部を制御し、アクセス情報が記録された記録ブロックの数を決定し、前記記録ブロックの決定された数に基づき、前記複数のアップデート領域のうち、最終的にアップデートされた所定の種類の情報が記録された最終アップデート領域を決定し、前記アクセス情報領域にアクセス情報が最後に記録された記録ブロックから最終的にアップデートされたアクセス情報を取得し、前記最終的にアップデートされたアクセス情報から前記最終アップデート領域の位置情報を取得し、前記最終アップデート領域に記録された前記最終的にアップデートされた所定の種類の情報を読み出すために前記読み出し部を制御する制御部とを備え、
前記アクセス情報は、最終的にアップデートされた情報が記録されたアップデート領域が変更された場合にアップデートされる、
ことを特徴とする装置。
【請求項２７】
記録及び／又は再生装置と使用する追記型ディスクであって、
所定の順序によって使われ、アップデートされる所定の種類の情報が記録される複数のアップデート領域と、
前記複数のアップデート領域の位置情報を含むアクセス情報が記録ブロック単位で記録される少なくとも１つのアクセス情報領域とを備え、
前記アクセス情報が前記アクセス情報領域に記録された記録ブロックの数を利用し、前記複数のアップデート領域のうち、最終的にアップデートされた所定の種類の情報が前記記録及び／又は再生装置に示され、
前記アクセス情報は、最終的にアップデートされた情報が記録されたアップデート領域が変更される場合にアップデートされる、
ことを特徴とするディスク。
【請求項２８】
前記アクセス情報は、前記複数のアップデート領域のうちの１つのアップデート領域に前記アップデートされた所定の種類の情報が最初に記録されたときにのみ、前記アクセス情報領域に記録される、
ことを特徴とする請求項２７記載のディスク。
【請求項２９】
前記アップデートされる所定の種類の情報は、前記複数のアップデート領域の位置情報を含む臨時ディスク管理情報であり、前記臨時ディスク管理情報は、前記アクセス情報として前記アクセス情報領域に記録される、
ことを特徴とする請求項２７記載のディスク。
【請求項３０】
追記型情報記録媒体と使用する装置であって、
リードイン領域、データ領域、リードアウト領域を備える前記追記型情報記録媒体の少なくとも１つの記録層にデータを伝達する光ピックアップと、
前記情報記録媒体に複数の臨時欠陥管理領域を割り当て、前記データ記録の間に発生した欠陥に関するアップデート情報を所定の順序で前記割り当てられた臨時欠陥管理領域に記録し、前記割り当てられた臨時欠陥管理領域の最後に記録された領域で最後のアップデート情報の記録を指定する位置情報を、前記制御部により前記情報記録媒体のリードイン領域及び／又はリードアウト領域に割り当てられるアクセス領域に記録するように、前記光ピックアップを制御する制御部とを備え、
前記位置情報は、最終的にアップデートされた情報が記録された臨時欠陥管理領域が変更された場合にアップデートされる、
ことを特徴とする装置。
【請求項３１】
前記位置情報は、臨時ディスク定義構造に対応する、
ことを特徴とする請求項３０記載の装置。
【請求項３２】
前記制御部は、前記割り当てられた臨時欠陥管理領域の最後に記録された領域の記録ブロックを最後のアップデート情報を含むとして指定するサブ位置情報を記録するために、前記光ピックアップを制御する、
ことを特徴とする請求項３０記載の装置。
【請求項３３】
前記制御部は、前記アップデート情報が記録される前記割り当てられた臨時欠陥管理領域が変更されるとき、前記位置情報を記録するために、前記光ピックアップを制御する、
ことを特徴とする請求項３２記載の装置。
【請求項３４】
前記位置情報は、データが記録された前記アクセス領域におけるユニットブロックの数により前記割り当てられた臨時欠陥管理領域のうちの記録された領域を示す、
ことを特徴とする請求項３２記載の装置。
【請求項３５】
前記少なくとも１つの臨時欠陥管理領域は、前記情報記録媒体のデータ領域に割り当てられる、
ことを特徴とする請求項３２記載の装置。
【請求項３６】
前記臨時欠陥管理領域のうちの最初の領域のみが記録されたアップデート情報を含むとき、位置情報は記録されない、
ことを特徴とする請求項３２記載の装置。
【請求項３７】
前記制御部は、前記割り当てられた臨時欠陥管理領域の最後に記録された領域を指定する第１フラグ情報と、前記割り当てられた臨時欠陥管理領域のうちの最後に記録された領域のうちの領域を最後のアップデート情報を含むとして指定する第２フラグ情報とを記録するために、前記光ピックアップを制御する、
ことを特徴とする請求項３０記載の装置。
【請求項３８】
前記第２フラグは、前記割り当てられた臨時欠陥管理領域のうちの最後に記録された領域の複数の記録ブロックのうち、前記最後のアップデート情報を含むとして少なくとも１つの記録ブロックを指定する、
ことを特徴とする請求項３７記載の装置。
【請求項３９】
前記臨時欠陥管理領域のうちの最初の領域のみが記録されたアップデート情報を含むとき、位置情報が記録されない、
ことを特徴とする請求項３７記載の装置。
【請求項４０】
前記制御部は、前記アップデート情報が記録される前記割り当てられた臨時欠陥管理領域が変更されるとき、前記第１フラグ情報及び第２フラグ情報をアップデートするために、前記光ピックアップを制御する、
ことを特徴とする請求項３９記載の装置。
【請求項４１】
前記制御部は、前記情報記録媒体が前記装置にロードされるとき、前記位置情報により、前記最後のアップデート情報を読み取るために前記光ピックアップを制御する、
ことを特徴とする請求項３０記載の装置。
【請求項４２】
コンピュータを利用して請求項１９記載の方法を実行する命令語でエンコードされたコンピュータ読み取り可能な媒体。
【請求項４３】
コンピュータを利用して請求項２５記載の方法を実行する命令語でエンコードされたコンピュータ読み取り可能な媒体。